(57)【要約】      （修正有）【課題】密閉板で密閉されている内部容器から密閉板を分離して、外部容器と内部容器にそれぞれ収容されている異種の内容物を容易に混ぜて使用できるようにするとともに、密閉板が外部容器内で遊動しないようにする。【解決手段】スポイト型異種内容物混合容器に関し、内部に第１内容物が収容される外部容器１０と、前記外部容器の内側に少なくとも一部分が挿入され、垂直ガイド穴が形成され、内部に第２内容物が収容される内部容器２０と、前記内部容器に着脱可能に結合されて第１内容物と第２内容物が混ざれることを遮断する密閉板３０と、前記外部容器に回転可能に結合される回転キャップ４０と、前記回転キャップと共に回転され、斜線ガイド部が形成された回転部材５０と、前記内部容器内で垂直に移動可能に配置され、ガイド突起が形成された作動部材６０と、前記外部容器に収容された第１、２内容物を吸入・排出するスポイト部７０と、を含む。【選択図】図３
2020189693.tif 000002
【特許請求の範囲】
【請求項１】
内部に第１内容物が収容される外部容器と、
前記外部容器の内側に少なくとも一部分が挿入され、垂直ガイド穴が形成され、内部に第２内容物が収容される内部容器と、
前記内部容器に着脱可能に結合されて第１内容物と第２内容物が混ざることを遮断する密閉板と、
前記外部容器に回転可能に結合される回転キャップと、
前記回転キャップと共に回転され、斜線ガイド部が形成された回転部材と、
前記内部容器の中に垂直に移動可能に配置され、ガイド突起が形成された作動部材と、
前記外部容器に収容された第１及び第２内容物を吸入・排出するスポイト部と、を含むスポイト型異種内容物混合容器。
【請求項２】
前記回転キャップの回転によって作動部材が垂直に移動することで密閉板を下方へと押して前記密閉板を内部容器から分離することによって、外部容器と内部容器とに分離収容されていた第１内容物と第２内容物とが混合されることを特徴とする、請求項１に記載のスポイト型異種内容物混合容器。
【請求項３】
前記密閉板の中央には第１貫通孔が形成され、作動部材の中央には第２貫通孔が形成されて、スポイト部が前記の第１貫通孔及び第２貫通孔を貫通しながら外部容器の内側に挿入されることを特徴とする、請求項１に記載のスポイト型異種内容物混合容器。
【請求項４】
前記回転キャップには第１掛け止め突起が形成され、前記回転部材には第２掛け止め突起が形成されて、互いに噛み合わされることを特徴とする、請求項１に記載のスポイト型異種内容物混合容器。
【請求項５】
前記作動部材は、密閉板を押しながら外部容器の下側へと移動して、スポイト部の少なくとも一部分が挿入される挿入誘導管をなし、密閉板を押さえ付けて外部容器の内部の底に固定することを特徴とする、請求項１に記載のスポイト型異種内容物混合容器。
【請求項６】
前記作動部材には垂直流通孔が形成され、前記作動部材が外部容器の下側に移動した際、前記垂直流通孔の少なくとも一部分が、内部容器の下方に露出することを特徴とする、請求項１に記載のスポイト型異種内容物混合容器。
【請求項７】
前記スポイト部は、弾性材質の押しボタンと、前記押しボタンの下側に連結されたスポイト管と、前記の押しボタン及びスポイト管の外側に結合されるグリップとからなることを特徴とする、請求項１に記載のスポイト型異種内容物混合容器。
【発明の詳細な説明】
【技術分野】
【０００１】
本発明は、スポイト型異種内容物混合容器(Spuit type heterogeneous contents mixing container)に関し、さらに詳細には、回転キャップの回転によって作動部材が垂直に移動することで、内部容器から密閉板を分離して、外部容器と内部容器にそれぞれ収容されている異種の内容物を容易に混ぜて使用することができるだけでなく、移動した作動部材が、スポイト部の挿入誘導管の役割をするとともに、密閉板を常に押しているために、前記密閉板が外部容器内で遊動しないようになっているスポイト型異種内容物混合容器に関する。
【背景技術】
【０００２】
一般的に、容器に収容される化粧品や医薬品のうちには、効能や効果を倍加させるために、互いに異なる二つ以上の内容物を混ぜて使用する場合が多々ある。
【０００３】
しかし、上記のように混ぜて使用される内容物を、初めから混ぜ合わせて一つの容器に共に収容した後、流通または保管する場合には、容器内部で化学反応が起こり内容物が凝固または沈殿することで排出不良が発生したり、内容物が変色または変質したりするという問題が発生するようになる。
【０００４】
そのため、従来には、互いに異なる内容物を、それぞれ分離された他の容器に保管しておき、使用時に、二つの容器の入口をそれぞれ開放し、別途の容器に混ぜて使用してきた。
【０００５】
しかし、上記のような方法は、使用の不便さがあるだけでなく、容器を紛失するおそれがあり、また、別途の容器に保管された内容物を一つの容器に投入する際に、内容物が流れ出て周辺を汚染させるようになるという問題点があった。
【０００６】
したがって、最近は、一つの容器に異種の内容物を隔離貯蔵して保管した後、必要時に、使用者の操作によって混ぜて使用することができるようにした混合容器が、多様な形態で開発、使用されている。
【０００７】
上記のような従来技術として、本出願人は、韓国登録特許第１０−１９１２５８７号のスポイト型異種内容物混合容器を出願し、登録したことがある。
【０００８】
上記従来技術は、内部に第１内容物が収容される外部容器と、前記外部容器に挿入され、垂直移動孔が形成され、内部に第２内容物が収容される内部容器と、前記内部容器に結合され、第１内容物と第２内容物が混和されることを遮断する密閉板と、前記内部容器に上、下移動可能に結合され、垂直移動バーが形成された作動部材と、前記作動部材に着脱可能に結合される着脱キャップと、前記着脱キャップの上部に形成される弾性材質の押しボタンと、前記押しボタンから下側に延長形成されたスポイト管と、前記押しボタンを保護する押しボタンカバーと、を含んで構成される。
【０００９】
すなわち、上記従来技術は、作動部材を回転させてロックを解除した後、押しボタンカバーを押すと着脱キャップと作動部材が共に下側に移動しながら着脱キャップに結合されたスポイト管が密閉板を押して内部容器から分離させることによって、内部容器と外部容器に分離収容されていた異種の内容物が混和されながら混合するものである。
【００１０】
しかし、上記従来技術は、押しボタンカバーの加圧によって、スポイト管が直接密閉板を下側に移動させる構造であり、これにより、相対的に力の弱い女性らが容易に作動させることができないという問題点があり、これとは逆に、前記押しボタンカバーを過度な力で押す場合にスポイト管が破損されるという問題点があった。
【００１１】
また、上記従来技術は、押しボタンカバーが押しボタンを包み込んでいる状態で作動部材を一定区間だけ回転させた後、前記押しボタンカバーを強制的に押さえ込んで密閉板が内部容器から分離するようにするなど、いくつかの段階を経て異種内容物を混合しなければならないので、使用上、不便さがあった。
【先行技術文献】
【特許文献】
【００１２】
【特許文献１】韓国登録特許第１０−１９１１５８７号（２０１８．１０．３０．公告）、「スポイト型異種内容物混合容器」
【発明の概要】
【発明が解決しようとする課題】
【００１３】
本発明は、外部容器と内部容器にそれぞれ異種の内容物を収容し、前記内部容器の開放された部分を密閉板で閉鎖して外部容器内に挿入し、回転キャップの回転によって作動部材が垂直に移動することで前記密閉板を下側へと押し動かして内部容器が開放されるようにすることで、内部及び外部の容器に収容されていた異種の内容物を容易に混ぜて使用することができるだけでなく、移動した作動部材がスポイト部の挿入誘導管の役割をし、密閉板を常に押しているために前記密閉板が外部容器内で遊動しないようにするスポイト型異種内容物混合容器を提供することに目的がある。
【課題を解決するための手段】
【００１４】
本発明は、内部に第１内容物が収容される外部容器と、前記外部容器の内側に少なくとも一部分が挿入され、垂直ガイド穴が形成され、内部に第２内容物が収容される内部容器と、前記内部容器に着脱可能に結合されて第１内容物と第２内容物が混ざることを遮断する密閉板と、前記外部容器に回転可能に結合される回転キャップと、前記回転キャップと共に回転され、斜線ガイド部が形成された回転部材と、前記内部容器内で垂直に移動可能に配置され、ガイド突起が形成された作動部材と、前記外部容器に収容された第１及び第２内容物を吸入・排出するスポイト部と、を含むスポイト型異種内容物混合容器を提供する。
【００１５】
また、前記回転キャップの回転によって作動部材が垂直に移動することで密閉板を下側に押し動かして前記密閉板を内部容器から分離することによって、外部容器と内部容器に分離収容されていた第１内容物と第２内容物が混合されうる。
【００１６】
また、前記密閉板の中央には第１貫通孔が形成され、作動部材の中央には第２貫通孔が形成されて、スポイト部が前記第１貫通孔と第２貫通孔を貫通することで外部容器内側に挿入されうる。
【００１７】
また、前記回転キャップには第１掛け止め突起が形成され、前記回転部材には第２掛け止め突起が形成されて互いに噛み合されうる。
【００１８】
また、前記作動部材は、密閉板を押しながら外部容器の下側に移動してスポイト部の少なくとも一部分が挿入される挿入誘導管となり、密閉板を押さえて外部容器の内部の底面に固定させうる。
【００１９】
また、前記作動部材には垂直流通孔が形成され、前記作動部材が外部容器の下側に移動した時、前記垂直流通孔の少なくとも一部分が内部容器の下側に露出しうる。
【００２０】
また、前記スポイト部は、弾性材質の押しボタンと、前記押しボタンの下側に連結されたスポイト管と、前記の押しボタン及びスポイト管の外側に結合されるグリップ（つまみ）とからなるのでありうる。
【発明の効果】
【００２１】
本発明の実施例によれば、回転キャップの回転によって作動部材が垂直に移動することで密閉板を押し動かして、前記密閉板によって閉鎖されていた内部容器を開放することにより、外部容器と内部容器にそれぞれ収容されていた異種の内容物を容易に混ぜて使用することができる。
【００２２】
また、本発明の実施例によれば、混合された異種の内容物が、押しボタンとスポイト管とグリップ（つまみ）とからなるスポイト部によって、少量ずつ吸入または排出されるようにすることによって、混合された異種の内容物が過度に使用されながら浪費されることを防止することができる。
【００２３】
また、本発明の実施例によれば、回転キャップの回転によって垂直移動した作動部材が内部容器から下側に延長された状態でスポイト部の挿入誘導管の役割をするようになるため便利に使用することができる。
【００２４】
また、本発明の実施例によれば、回転キャップの回転によって垂直移動した作動部材が密閉板を常に押しているため前記密閉板が外部容器内で遊動しないようにすることによって、前記密閉板によって作動不良が発生することを防止することができる。
【図面の簡単な説明】
【００２５】
【図１】本発明の実施例に係る混合容器の斜視図である。
【図２】本発明の実施例に係る混合容器の分解斜視図である。
【図３】本発明の実施例に係る混合容器のＡ−Ａ断面図である。
【図４】本発明の実施例に係る混合容器のＢ−Ｂ断面図である。
【図５】本発明の実施例によって回転キャップを回転させる形態を例示したＡ−Ａ断面図である。
【図６】本発明の実施例によって作動部材を完全に垂直移動させた形態を例示したＡ−Ａ断面図である。
【図７】本発明の実施例によって押しボタンカバーを分離する形態を例示したＢ−Ｂ断面図である。
【図８】本発明の実施例によって押しボタンを加圧する形態を例示したＢ−Ｂ断面図である。
【図９】本発明の実施例によって押しボタンの加圧を解除する形態を例示したＢ−Ｂ断面図である。
【図１０】本発明の実施例によってスポイト部を分離する形態を例示したＢ−Ｂ断面図である。
【発明を実施するための形態】
【００２６】
以下の本発明に関する詳細な説明は、本発明が実施され得る実施例であり、当該実施例の例示として図示された添付の図面を参照する。これら実施例は、当業者が本発明を実施するに足りるよう詳細に説明される。本発明の多様な実施例は、互いに異なるが、相互排他的である必要はないことを理解されたい。例えば、ここに記載されている特定の形状、構造及び特性は、一実施例に関連して本発明の思想及び範囲を逸脱せずに他の実施例で具現され得る。また、それぞれの記載された実施例内の個別の構成要素の位置または配置は、本発明の思想及び範囲を逸脱せずに変更され得ることを理解されたい。
【００２７】
したがって、後述する詳細な説明は、限定的な意味をもって採用しようとするものではなく、本発明の範囲は、適切に説明されるならその請求項が主張することと均等なすべての範囲と、併せて添付された請求項によってのみ限定される。図面で類似する参照符号は、いくつかの側面において同一か類似する機能を指称する。
【００２８】
本発明で使用される用語は、本発明での機能を考慮しながら可能な現在広く使用される一般的な用語を選択したが、これは当分野に従事する技術者の意図または判例、新たな技術の出現などによって変わる場合がある。また、特定の場合は出願人が任意に選定した用語もあり、この場合は該当する発明の説明部分において詳細にその意味を記載する。したがって、本発明で使用される用語は単なる用語の名称ではなく、その用語が有する意味と本発明の全般にわたる内容を基に定義されなければならない。
【００２９】
本発明で、ある部分がある構成要素を“含む”とする場合、これは特に反対の記載がない限り、他の構成要素を除外するものではなく、他の構成要素をさらに含み得ることを意味する。
【００３０】
図１ないし図１０を参照して、本発明の一実施例に係るスポイト型異種内容物混合容器について説明する。
【００３１】
図１は本発明の実施例に係る混合容器の斜視図であり、図２は本発明の実施例に係る混合容器の分解斜視図であり、図３は本発明の実施例に係る混合容器のＡ−Ａ断面図であり、図４は本発明の実施例に係る混合容器のＢ−Ｂ断面図である。
【００３２】
図示されたように、本発明の一実施例に係る混合容器は、外部容器１０と、内部容器２０と、密閉板３０と、回転キャップ４０と、回転部材５０と、作動部材６０と、スポイト部７０と、を含んで構成されうる。
【００３３】
前記外部容器１０は、上部が開放された硬質の円筒の形態であって、内部空間に第１内容物Ｃ１が収容される。言うまでもなく、前記外部容器１０は、硬質の円筒の形態に限定されるのではなく、多様な形態または材質で形成されうる。
【００３４】
図２に示すように、前記外部容器１０の開放された上部に第１内容物Ｃ１が充填され、開放された部分の端部には固定ノッチ１１が形成されて内部容器２０が嵌められてもよい。
【００３５】
図３に示すように、前記外部容器１０の内側の底面には密閉板挿入穴１２が形成されるのであり、前記密閉板挿入穴１２には内部容器２０から分離された密閉板３０が差し込まれ得るのであり、前記密閉板挿入穴１２における外周壁面には第１固定突起１２ａが形成されうる。
【００３６】
そして、前記外部容器１０の上部の外周面には、第１結合突起１４が形成され、この箇所に、回転キャップ４０が回転可能に結合されうる。
【００３７】
前記内部容器２０は、少なくとも一部が、外部容器１０の内側に挿入され、前記内部容器２０の内側には第２内容物Ｃ２が収容される。ここで、前記第２内容物Ｃ２は、第１内容物Ｃ１と互いに異なる内容物であって、第１内容物Ｃ１と混ぜて使用された際に効能や効果を倍加させるようになる内容物であることが好ましい。
【００３８】
図３及び４に示すように、前記内部容器２０の上部には、上部内壁２２が上方へと延長形成され、前記上部内壁２２の外側に、一定の間隔で離隔されて上部外壁２４が上方へと延長形成されるのでありうる。前記上部内壁２２には、少なくとも一つ以上の垂直ガイド穴２２ａが形成されて作動部材６０の上下移動を案内するようになっており、前記上部外壁２４の外周面には、固定突起２４ａが形成されて外部容器１０の固定ノッチ１１に差し込まれることで、前記内部容器２０が外部容器１０から空転せずに固定されるようにしている。
【００３９】
また、前記上部外壁２４には流通孔２４ｂが形成され得るのであり、前記流通孔２４ｂを通じて第１、２内容物Ｃ１、Ｃ２が、外部容器１０の内部空間と、内部容器２０の上部内側空間との間で移動しうる。
【００４０】
そして、前記内部容器２０の下部においては、下部内壁２６が下方へと延長形成されるとともに、前記下部内壁２６の外側に一定の間隔で離隔されて、下部外壁２８が下方へと延長形成されるのでありうる。前記下部内壁２６と下部外壁２８との間の空間には、第２内容物Ｃ２が収容されており、前記の下部内壁２６及び下部外壁２８の下端部が密閉板３０に組付けられることで、前記の下部内壁２６と下部外壁２８との間の空間が密閉されるのでありうる。
【００４１】
一方、前記の外部容器１０と内部容器２０との間、及び、内部容器２０と回転部材５０との間には、それぞれ第１密閉リングＲ１と第２密閉リングＲ２が備えられ得る。前記の第１密閉リングＲ１及び第２密閉リングＲ２は、外部容器１０に収容された第１内容物Ｃ１が外部に漏れ出ないように密閉するのである。
【００４２】
ここで、前記の第１及び第２密閉リングＲ１、Ｒ２、並びに後述の押しボタン７２は、ゴムや樹脂系エラストマーといった軟質の材質で形成され、ウレタンゴム（ｕｒｅｔｈａｎｅ  ｒｕｂｂｅｒ）、天然ゴム（ｎａｔｕｒａｌ  ｒｕｂｂｅｒ）、各種の熱硬化性または熱可塑性のエラストマー（ｅｌａｓｔｏｍｅｒ）、ＮＢＲ（ｎｉｔｒｉｌｅ−ｂｕｔａｄｉｅｎｅ  ｒｕｂｂｅｒ）、シリコン（ｓｉｌｉｃｏｎｅ）のうちのいずれか一つ以上の材質、または、弾性を有するように共重合などによる変性や発泡を行ったポリプロピレン（ｐｏｌｙｐｒｏｐｙｌｅｎｅ）、ポリエチレン（ｐｏｌｙｅｔｈｙｌｅｎｅ）、ＡＢＳ（Ａｃｒｙｌｏｎｉｔｒｉｌｅ  Ｂｕｔａｄｉｅｎｅ  Ｓｔｙｒｅｎｅ）、並びに、各種の熱可塑性エラストマー（ＴＰＥ；Ｔｈｅｒｍｏ  Ｐｌａｓｔｉｃ  Ｅｌａｓｔｏｍｅｒ）のうちのいずれか一つ以上の材質で形成されることが好ましい。もちろん、前記の第１及び第２密閉リングＲ１、Ｒ２は、上述した材質に限定されるものではなく、一定の弾性を有する範囲内にて多様な材質で形成され得る。なお、第１及び第２密閉リングＲ１、Ｒ２並びに後述の押しボタン７２を除く他の部材は、例えば、ポリオレフィンなどのプラスチック、または、金属などから形成することができる。
【００４３】
前記密閉板３０は、図３及び図４に示すように、内部容器２０の下端に組付けられて、外部容器１０の内部空間と、内部容器２０の内部空間とを互に遮断するのであり、このことを通じて、外部容器１０に収容された第１内容物Ｃ１と、内部容器２０に収容された第２内容物Ｃ２とが、使用時の吐出の際に混合されるよりも前に混ざってしまうのを防止するのである。
【００４４】
前記密閉板３０の中央には、第１貫通孔３１が形成されて、スポイト部７０が貫通しており、前記第１貫通孔３１の外側には、上方延長突出リング３２が上方へと延長形成され、この箇所に作動部材６０が据え付けられ得る。
【００４５】
前記上方延長突出リング３２の内周面には第１段部３２ａが形成されるのであり、前記上方延長突出リング３２の内側に作動部材６０の少なくとも一部が差し込まれる際に前記作動部材６０の下端部が第１段部３２ａに据え付けられ得る。また、前記上方延長突出リング３２の外壁には内容物流通スリット３２ｂが形成されるのであり、前記密閉板３０が内部容器２０から分離されて第１内容物Ｃ１と第２内容物Ｃ２とが混合された際に、このように混合された第１及び第２内容物Ｃ１、Ｃ２が、前記内容物流通スリット３２ｂを通じて移動してスポイト部７０に吸入される。
【００４６】
そして、前記上方延長突出リング３２の外側にはリング溝状の第１嵌合穴３３及び第２嵌合穴３５が形成され、これらに、それぞれ、内部容器２０の下部内壁２６及び下部外壁２８が嵌め込まれて組付けられ、これにより内部容器２０における開放された一方の側（下方の開口）を塞いで前記内部容器２０を閉鎖することとなる。
【００４７】
一方、前記密閉板３０の外周面には多数の突出リブ３４が外側へと突出形成されるのであり、前記密閉板３０が内部容器２０から分離されて下方へと移動する際、図５に示すように、前記多数の突出リブ３４同士の間を第１内容物Ｃ１が通過して第２内容物Ｃ２と混ざることとなる。
【００４８】
また、前記密閉板３０の下側には突出部３６が形成されるのであり、前記突出部３６は、内部容器２０から密閉板３０が分離された際、図７に示すように、外部容器１０の密閉板挿入穴１２に挿入さることで、前記突出部３６の外周面が密閉板挿入穴１２の第１固定突起１２ａに嵌め合わされ得る。
【００４９】
前記回転キャップ４０は、外部容器１０の上部に回転可能に組付けられ、使用者によって回転されることで回転力を回転部材５０に伝達することとなる。
【００５０】
図２に示すように、前記回転キャップ４０の内側には、少なくとも一つ以上の第１掛け止め突起４２が形成されて回転部材５０と締結されており、前記第１掛け止め突起４２の下部には、第２結合突起４４が形成されて、外部容器１０の第１結合突起１４と回転可能に、逆テーパー面などのアンダーカット部分を用いて、押し込まれて組付けられるのでありうる。
【００５１】
前記回転部材５０は、少なくとも一部が回転キャップ４０の内側に差し込まれた状態で、前記回転キャップ４０と共に回転される。
【００５２】
前記回転部材５０の一方の側（上方側）にはスポイト部７０が差し込まれるか、または出し入れされる入口部５１が形成されるのであり、前記入口部５１は、回転キャップ４０の中央を貫通して外部容器１０の上方へと露出するのであり、前記入口部５１の外周面にはネジ山が形成されて、スポイト部７０とネジ結合されうる。
【００５３】
前記回転部材５０の外周面には少なくとも一つ以上の第２掛け止め突起５２が形成されて回転キャップ４０の第１掛け止め突起４２と互いに噛合される。つまり、回転部材５０の各第２掛け止め突起５２が、回転キャップ４０の一対の第１掛け止め突起４２の間に嵌め込まれることで締結されるのであり、これに伴い、前記回転部材５０が回転キャップ４０によって回転されるのである。
【００５４】
また、前記回転部材５０の他方の側（下方の側）には、下部延長部５４が下方へと延長形成されるのであり、前記下部延長部５４の内周面には斜線面５６ａを有する斜線ガイド部５６が形成されてもよい。すなわち、前記回転部材５０が回転キャップ４０によって、軸方向の位置を変えずにその場で回転される際、前記斜線ガイド部５６の斜線面５６ａが、回転部材６０の回転方向に沿って回転されるに伴い、作動部材６０のガイド突起６６を斜線方向に押し出して、前記ガイド突起６６が内部容器２０の垂直ガイド穴２２ａに沿って下方へと移動されうるようにした。
【００５５】
ここで、前記下部延長部５４の外周面には、多数の突起または穴が形成され、内部容器２０の上部内周面に形成された多数の突起または穴に嵌め合わされうる。
【００５６】
一方、前記回転部材５０の入口部５１には、スポイト部７０のスポイト管７を引き出す際に、前記スポイト管７４の外周面にくっついた内容物を拭い去るワイパー９０がさらに組付けられうる。
【００５７】
前記作動部材６０は、内部容器２０及び回転部材５０の内側にて垂直に移動可能に配置され、内部容器２０から密閉板３０を分離する役割をすることとなる。前記作動部材６０は、上部と下部が開放された管の形状であり、中央に第２貫通孔６１が形成されて、これにスポイト部７０が貫通される。
【００５８】
前記作動部材６０の下側には挿入部６２が形成されるのであり、図３と図４に示すように、前記挿入部６２は、他の部分よりも相対的に外径が小さく形成されて、密閉板３０の上方延長突出リング３２の内側に差し込まれることで、下端部が前記上方延長突出リング３２の段部３２ａに据え付けられうる。したがって、前記作動部材６０の下端部と、密閉板３０の上端部とが、互いに密着された状態を維持することとなる。
【００５９】
そして、前記作動部材６０の上部外周面にはガイド突起６６が外側へと突出するように形成されうる。前記ガイド突起６６は、内部容器２０の垂直ガイド穴２２ａを貫通するとともに、回転部材５０に形成された斜線ガイド部５６の斜線面５６ａと密着されて、前記斜線面５６ａによって斜線方向に押し出されることで垂直ガイド穴２２ａに沿って下方へと移動する。
【００６０】
また、前記作動部材６０の外周面には垂直流通孔６４が形成されうる。前記垂直流通孔６４は、作動部材６０の長手方向に沿って長く延びる直方形の形態に形成されて、第１及び第２内容物Ｃ１、Ｃ２または空気の移動通路をなす。詳細に説明すると、前記垂直流通孔６４は、前記作動部材６０が、回転キャップ４０の回転作動によって外部容器１０の下側部分に移動した際、少なくとも一部分が内部容器２０の下方に露出するのであり、これに伴い、前記作動部材６０の第２貫通孔６１にスポイト部７０が挿入または引出される際、第１及び２内容物Ｃ１、Ｃ２または空気が、前記垂直流通孔６４を通じて、外部容器１０の内部空間と作動部材６０の内部空間との間で移動しうるようになる。
【００６１】
本発明の一実施例に係る混合容器は、回転キャップ４０の回転作動によって作動部材６０が、外部容器１０の底へと向かって直線移動することで、密閉板３０を下方へと押し動かして内部容器２０から分離させるのに伴い、前記外部容器１０と内部容器２０とにそれぞれ分離されて収容されていた第１及び第２内容物Ｃ１、Ｃ２が混ざり合うこととなる。この際、前記作動部材６０が、内部容器２０から下方へと延長された状態で固定されて、スポイト部７０のための挿入誘導管の役割をすることとなり、スポイト部７０をより容易に、容器に挿入または容器から引き出すことができるのであり、これと同時に、前記作動部材６０が密閉板３０の上部を常に押しているため、前記密閉板３０が外部容器１０内で遊動しなくなるので、前記密閉板３０の遊動によって混合容器の作動不良が発生するということを防止しうることとなる。
【００６２】
前記スポイト部７０は、外部容器１０の上部に着脱されるのであり、前記外部容器１０内に収容された第１及び第２内容物Ｃ１、Ｃ２を吸入または排出する。
【００６３】
前記スポイト部７０は、弾性材質の押しボタン７２と、前記押しボタン７２の下側に連結されたスポイト管７４と、前記押しボタン７２及びスポイト管７４の外側に組付けられるグリップ（つまみ）７６とから形成されるのでありうる。
【００６４】
前記押しボタン７２は、使用者の加圧操作によって内部の体積が変化することで、スポイト管７４を通じて第１及び第２内容物Ｃ１、Ｃ２を吸い込んだり押し出したりするようになっており、前記スポイト管７４は、押しボタン７２の下方へと延長されて、密閉板３０及び作動部材６０の第１及び第２貫通孔３１、６１を貫通することで外部容器１０内に挿入される。
【００６５】
ここで、前記押しボタン７２は、復元力を有する弾性材質で形成され、特に、天然ゴム、エラストマー、ＮＢＲ（ａｃｒｙｌｏｎｉｔｒｉｌｅ−ｂｕｔａｄｉｅｎｅ  ｒｕｂｂｅｒ）ゴム及びシリコンゴムのうちの一つ以上の材質で形成されることが好ましい。
【００６６】
そして、前記グリップ（つまみ）７６は、押しボタン７２及びスポイト管７４の外側に組付けられるのであり、内周面にネジ山が形成されて、回転部材５０の上部外周面に形成されたネジ山とネジ結合される。本発明の一実施例に係る混合容器では、スポイト部７０と回転部材５０とがネジ結合されるものとして図示したが、これに限定されるものではなく、アンダーカットの面や部分を用いた組付け、突起と穴との噛み合わせや嵌め合わせによる組付け、強制的に押し込んで嵌め合わせることによる組付け、または磁力による結合など、多様な結合方式を備えうる。
【００６７】
すなわち、図８に示すように、押しボタン７２を加圧して行くと、前記押しボタン７２の内部体積が減少して行くとともに、押し動かす圧力によって、押しボタン７２及びスポイト管７４の中の空気が抜けて行くこととなる。その後、図９に示すように、押しボタン７２の加圧を解除するようと、前記押しボタン７２が元の形態へと復元されていく際に、内部の体積が増加するとともに、吸入力によって、外部容器１０に収容されている、第１及び第２内容物Ｃ１、Ｃ２の混合物をスポイト管７４に吸い込むこととなる。
【００６８】
また、前記スポイト部７０の押しボタン７２の上部には、図３及び図４に示すように、携帯または保管の際に前記押しボタン７２を保護する、押しボタンカバー８０がさらに組付けられてもよい。
【００６９】
前記押しボタンカバー８０は、押しボタン７２を包み込むように組付けられ、硬質の材質で形成される。すなわち、スポイト部７０の押しボタン７２が弾性材質で形成されているため、流通または携帯の際に外力によって意図に反して押さえ付けられうるのであるが、これを防止するために押しボタン７２の外側に、硬質の押しボタンカバー８０を着脱可能に結合した。
【００７０】
図５ないし図１０は、本発明の一実施例に係る異種内容物混合容器の組立及び使用を例示した図面であって、これを参照して本発明の一実施例に係る異種内容物混合容器の組立及び使用の過程について説明する。
【００７１】
まず、本発明の一実施例に係る混合容器を組み立てるためには、図示されたように、外部容器１０の内部空間に第１内容物Ｃ１を充填する。
【００７２】
次に、内部容器２０をひっくり返した後、前記内部容器２０の内部空間、すなわち、下部内壁２６と下部外壁２８との間の空間に第２内容物Ｃ２を充填し、前記内部容器２０の端部に密閉板３０を組み付ける。
【００７３】
次に、上記のように第２内容物Ｃ２が充填され、密閉板３０が組み付けられた内部容器２０の内側及び外側に、第１及び第２密閉リングＲ１、Ｒ２を嵌め付け、前記内部容器２０を再びひっくり返して、外部容器１０における開放された上部に差し込む。
【００７４】
次に、前記内部容器２０の上部に作動部材６０を挿入し、回転部材５０で前記作動部材６０を覆うようにして前記回転部材５０を内部容器２０に嵌め付け、回転キャップ４０でもって前記回転部材５０及び内部容器２０の側面（外周面）を包み込むようにして、前記回転キャップ４０を外部容器１０に回転可能に組付ける。
【００７５】
この際、前記作動部材６０の挿入部６２は、内部容器２０の中央を貫通して、密閉板３０の上方延長突出リング３２の内方に挿入され、ガイド突起６６は、内部容器２０の垂直ガイド穴２２ａに挿入された状態で、回転部材５０の斜線面５６ａに密着される。そして、前記回転キャップ４０の第１掛け止め突起４２と、回転部材５０の第２掛け止め突起５２とが噛み合わされることとなる。
【００７６】
次に、前記回転部材５０の入口部５１の内側にワイパー９０を結合した後、押しボタン７２、スポイト管７４及びグリップ（つまみ）７６からなるスポイト部７０を、前記入口部５１に挿入しながらネジ結合し、前記スポイト部７０の押しボタン７２の上部に、押しボタンカバー８０を被せて組付ける。
【００７７】
この際、前記スポイト部７０のスポイト管７４は、作動部材６０の第２貫通孔６１と、密閉板３０の第１貫通孔３１とを貫通して、外部容器１０内に挿入される。
【００７８】
図５は本発明の実施例にしたがう、回転キャップを回転させて行く際の形態を例示したＡ−Ａ断面図であり、図６は本発明の実施例にしたがう、作動部材を完全に垂直移動させた際の形態を例示したＡ−Ａ断面図である。
【００７９】
一方、上記のように組み立てられた混合容器を使用しようとする場合には、まず、外部容器１０から回転キャップ４０をいずれか一方向に回転させる。
【００８０】
図５に示すように、前記回転キャップ４０が回転されると、前記回転キャップ４０の内側に噛み合わされている回転部材５０が共に回転されることで、前記回転部材５０の斜線ガイド部５６に形成された斜線面５６ａが、作動部材６０のガイド突起６６を横に押し出すようになるのであり、この際、前記ガイド突起６６は、内部容器２０の垂直ガイド穴２２ａに挿入されており回転されることができず、前記斜線面５６ａによって押されることで、垂直ガイド穴２２ａに沿って下側へと直線移動する。
【００８１】
これとともに、前記作動部材６０の端部に密着されていた密閉板３０が、前記作動部材６０によって押し動かされることで内部容器２０から分離され、これにより、前記内部容器２０に分離収容されていた第２内容物Ｃ２が、外部容器１０内に流入して第１内容物Ｃ１と混ざり混合される。
【００８２】
その後、前記作動部材６０をさらに回転させて行くと、図６に示すように、前記作動部材６０が密閉板３０を、外部容器１０の底に達するまで押し動かすこととなり、前記密閉板３０の突出部３６が、外部容器１０の密閉板挿入穴１２に差し込まれる。
【００８３】
この際、前記作動部材６０は、内部容器２０から下側に延長された状態で固定されてスポイト部７０の挿入誘導管の役割をするようになり、前記作動部材６０が外部容器１０の底面に挿入された密閉板３０を押し続けているため前記密閉板３０が外部容器１０内で遊動しなくなる。
【００８４】
図７は本発明の実施例にしたがう、押しボタンカバーを分離する形態を例示したＢ−Ｂ断面図であり、図８は本発明の実施例にしたがう、押しボタンを加圧する形態を例示したＢ−Ｂ断面図であり、図９は本発明の実施例にしたがう、押しボタンの加圧を解除する形態を例示したＢ−Ｂ断面図であり、図１０は本発明の実施例にしたがう、スポイト部を分離する形態を例示したＢ−Ｂ断面図である。
【００８５】
その後、図７に示すように、押しボタンカバー８０を分離してスポイト部７０の押しボタン７２を外部に露出させ、図８に示すように、弾性材質の押しボタン７２を加圧すると、前記押しボタン７２の内部体積が減少するとともに、押し縮める圧力によって、押しボタン７２及びスポイト管７４の中の空気が、外部容器１０へと抜け出るようになる。
【００８６】
その後、図９に示すように、押しボタン７２の加圧を解除するようになると、前記押しボタン７２が元の形態に復元して行くことで内部体積が増加し、これによる吸入力によって外部容器１０内にある混合された第１及び第２内容物Ｃ１、Ｃ２を、スポイト管７４の内部に吸い込むようになる。
【００８７】
次に、図１０に示すように、スポイト部７０のグリップ（つまみ）７６を持って回転させて前記スポイト部７０を回転部材５０から分離し、混合内容物が吸入されたスポイト管７４を、外部容器１０及び内部容器２０から抜き取る。
【００８８】
その後、前記スポイト管７４の端部を肌の近くに位置させ、弾性材質の押しボタン７２を加圧すると前記押しボタン７２の内部体積が減少しながら、押し縮める圧力によって、スポイト管７４内に吸入されていた混合内容物が排出される。
【００８９】
以上のように本説明では具体的な構成要素などのような特定の事項と限定された実施例及び図面によって説明されたが、これは本発明のより全般的な理解を助けるために提供されたものに過ぎず、本発明は上記の実施例に限定されるものではなく、本発明が属する分野で通常の知識を有する者であれば、かかる記載から多様な修正及び変形が可能である。
【００９０】
したがって、本発明の思想は説明された実施例に局限して定められてはならず、後述する請求の範囲だけでなく、本請求の範囲と均等か等価的な変形を伴うすべては本発明の思想の範疇に属するといえる。
【符号の説明】
【００９１】
１０  外部容器
２０  内部容器
３０  密閉板
３２  上方延長突出リング
４０  回転キャップ
４２  第１掛け止め突起
５０  回転部材
５２  第２掛け止め突起
６０  作動部材
６２  挿入部
６４  垂直流通孔
６６  ガイド突起
７０  スポイト部
７２  押しボタン
７４  スポイト管
７６  グリップ（つまみ）
８０  押しボタンカバー
９０  ワイパー
Ｃ１  第１内容物
Ｃ２  第２内容物
【図１】
2020189693.tif 000003
【図２】
2020189693.tif 000004
【図３】
2020189693.tif 000005
【図４】
2020189693.tif 000006
【図５】
2020189693.tif 000007
【図６】
2020189693.tif 000008
【図７】
2020189693.tif 000009
【図８】
2020189693.tif 000010
【図９】
2020189693.tif 000011
【図１０】
2020189693.tif 000012